(57)【要約】  【課題】安全性をさらに向上させ、その取扱を一層容易にして年少者、高齢者でも安心して制作できる。  【解決手段】枠部材３の片面の外周枠部３１に、アルミ缶を切り開いて得たアルミ板材２の鑑賞面を向けて、その外周部分２１を粘着布テープなどで固定した制作用具を用いて、そのアルミ板材２に凹凸模様を施して制作したアルミ缶アート原板を額縁４に納めたものであり、そして、額縁４が、前記枠部材３の外周枠部３１より小さな窓４３を有する縁取りマット４２を備えた額縁枠４１からなり、この額縁４内に枠部材３とアルミ板材２からなる前記アルミ缶アート原板が固定され、かつ前方から見たときに前記外周枠部３１の全部がその縁取りマット４２によって覆い隠された状態で収納されている。  【選択図】  図１
0003107425.tif 000002
【実用新案登録請求の範囲】
【請求項１】
枠部材の片面の外周枠部に、アルミ缶を切り開いて得たアルミ板材の鑑賞面を向けて固定したことを特徴とするアルミ缶アート制作用具。
【請求項２】
前記枠部材の外周枠部に前記アルミ板材を布粘着テープで固定した請求項１に記載のアルミ缶アート制作用具。
【請求項３】
前記枠部材の外周枠部に前記アルミ板材をステープルなどの綴り金具で固定した請求項１に記載のアルミ缶アート制作用具。
【請求項４】
請求項１〜３のいずれかに記載のアルミ缶アート制作用具の裏側に前記アルミ板材を挟んで、さらに枠部材の外周枠部を固定したアルミ缶アート制作用具。
【請求項５】
請求項１〜３のいずれかに記載のアルミ缶アート制作用具の裏側に前記アルミ板材を挟んで、さらにクッション平板を固定したアルミ缶アート制作用具。
【請求項６】
前記アルミ板材には予め下絵が施されている請求項１〜６のいずれかに記載されているアルミ缶アート制作用具。
【請求項７】
請求項５に記載のアルミ缶アート制作用具を構成するアルミ板材の片面側から打刻して、凹凸模様を形成したことを特徴とするアルミ缶アート原板。
【請求項８】
請求項１、２、３、４、または６に記載のアルミ缶アート制作用具を構成するアルミ板材の両面方向から打刻して、凹凸模様を形成したことを特徴とするアルミ缶アート原板。
【請求項９】
請求項７または８に記載のアルミ缶アート原板が額縁内にその枠部材を前面側にして配置されて、前方から見たときに前記外周枠部によってアルミ板材の外周部分が覆い隠された状態で収納されていることを特徴とする額入りアルミ缶アート。
【請求項１０】
請求項７または８に記載のアルミ缶アート原板が、縁取りマットを備えた額縁内に固定され、かつ前方から見たときに前記外周枠部が内周部分を除いて、その縁取りマットによって覆い隠された状態で収納されていることを特徴とする額入りアルミ缶アート。
【請求項１１】
前記額縁が、前記枠部材の外周枠部より小さな窓を有する縁取りマットを備えたものであり、前記外周枠部の全体がその縁取りマットによって覆い隠された状態で収納されている請求項１０に記載の額入りアルミ缶アート。
【考案の詳細な説明】
【技術分野】
【０００１】
本考案は、アルミ缶アートを制作するために便利な制作用具、それを用いて得られる額縁入りアルミ缶アートおよびその原板に関するものであって、特に、安全性を向上させる改良に関する。
【背景技術】
【０００２】
アルミ缶アート制作用具として本発明者らは、特許文献１としてとしてすでに提案、登録済みである。そこで提案したアルミ缶アート制作用具は、図４に示すような、アルミ缶から切り出したアルミの制作用板材１をクッション材１３を挟んで貼付した基板１１と、これに蝶番で取りつけられた枠蓋部材１２からなるものである。
【０００３】
そして、アルミ缶から得たアルミ制作用板材１は、湾曲し易いうえ、側縁端部が鋭利なため、その取扱には注意がいるのであるが、この制作用具を用いれば、枠蓋部材１２を閉じて制作用板材１の外周部分を押し圧固定したうえ、たがねなどの先端を制作用板材１の表面の押圧または打圧するなどの打刻操作によって、所望の凹凸模様を浮き彫り形成することにより、より安全にアルミ缶アートが得られるのである。
【特許文献１】実用新案登録第３０９１４７４号（登録：２００２．１１．６）：実用新案登録請求の範囲、図１など。
【考案の開示】
【考案が解決しようとする課題】
【０００４】
本考案は、制作用具としての安全性をさらに向上させるとともに、その取扱を一層容易なものとし、年少者、高齢者でも安心して使用できるうえ、変化に富んだ多彩な凹凸模様が制作し易いアルミ缶アートの制作用具を提供する。さらに、額縁に収納したとき見栄えのするアルミ缶アート原板、あるいは飾り栄えのする額入りアルミ缶アートをも提供する。
【課題を解決するための手段】
【０００５】
上記の問題は、第１考案であるアルミ缶アート制作用具、すなわち、枠部材の片面の外周枠部に、アルミ缶を切り開いて得たアルミ板材を固定したことを特徴とする本考案のアルミ缶アート制作用具によって、解決することができる。なお、本考案のアルミ缶アートは、通常、アルミ缶を切り開いて得たアルミ板材の無彩色の内側面を鑑賞面として制作されるものであることから、このアルミ缶アート制作用具では、通常、無彩色のアルミ板材内側面を前記外周枠部に向けて固定する（内側面が鑑賞面となる）ものである。
【０００６】
また、この考案は、１）前記枠部材の外周枠部に前記アルミ板材を布粘着テープで固定した形態、２）前記枠部材の外周枠部に前記アルミ板材をステープルなどの綴り金具で固定した形態、３）以上述べたアルミ缶アート制作用具の裏側に前記アルミ板材を挟んで、さらに別個の枠部材の外周枠部を固定した形態、４）この別個の枠部材の代えて、クッション平板を固定した形態、および５）以上に例示した前記アルミ板材には予め下絵が施されている形態などに好ましく具体化され得る。
【０００７】
また、上記の問題は、第２考案であるアルミ缶アート原板、すなわち、先に述べた裏面にクッション平板を固定したアルミ缶アート制作用具を構成するアルミ板材の片面側から打刻して、凹凸模様を形成したことを特徴とする本考案のアルミ缶アート原板、あるいは、裏面にクッション平板を固定したものを除き、アルミ缶アート制作用具を構成するアルミ板材の表面（鑑賞する面）から裏面方向、および裏面から表面方向の両面方向から打刻して、凹凸模様を形成したことを特徴とする本考案のアルミ缶アート原板によって解決することができる。
【０００８】
また、上記の問題は、第３考案である額入りアルミ缶アート、すなわち、前記したアルミ缶アート原板が展示鑑賞のための額縁内に、その枠部材を前面側にして配置されて、前方から見たときに前記外周枠部によってアルミ板材の外周部分が覆い隠された状態で収納されていることを特徴とする本考案の額入りアルミ缶アートによって解決される。
【０００９】
さらに、前記のアルミ缶アート原板が、縁取りマットを備えた額縁内に固定され、かつ前方から見たときに前記外周枠部が内周部分を除いて、その縁取りマットによって覆い隠された状態で収納されていることを特徴とする本考案の額入りアルミ缶アートによって解決される。
【００１０】
また、この考案は、前記額縁が、前記枠部材の外周枠部より小さな窓を有する縁取りマットを備えたものであり、前記外周枠部の全体がその縁取りマットによって覆い隠された状態で収納されている形態に具体化される。
【考案の効果】
【００１１】
本第１考案のアルミ缶アート制作用具によれば、アルミ缶を切り開いたアルミ板材を枠部材の外周枠部に固定したものであるから、一枚の平板として取り扱うことができ、アルミ板材の鋭利な端縁部分をこの枠部材の外周枠部で隠すことができ、取扱い上の安全性が特に改善され、年少者、高齢者でも安心して使用できるという利点が得られる。
【００１２】
さらに、前記の裏面にクッション平板を固定したアルミ缶アート制作用具の場合、アルミ板材の片面側から打刻して、別途クッション材を準備する必要なく簡単に凹凸模様のアート制作が可能となる利点が得られる。次に、前記アルミ板材の表裏が開放されているアルミ缶アート制作用具の場合は、アルミ板材の表面から裏面方向および裏面から表面方向の両面方向から打刻して、変化に富んだ多彩な凹凸模様が制作し易いという利点がある。
【００１３】
さらに、本第２考案のアルミ缶アート原板によれば、いずれの場合も、凹凸模様を形成したアルミ板材は周囲を取り囲む枠部材に固定されているので、その外周枠部が額縁としての認識されるから、そのまま壁面に飾ることもできる。また、アルミ缶アート原板を別途、額縁に収納する場合には、同じく外周枠部が縁取りマットとして機能するので見栄えのする第３考案の額入りアルミ缶アートが得られる。
【００１４】
また、本第３考案の額入りアルミ缶アートによれば、先ず、前記したアルミ缶アート原板がその枠部材を前面側にして額縁内に配置するので、前方から見たときに前記外周枠部が縁取りマットの代わりとして配置されたことになり、飾り栄えのする額入りアルミ缶アートが得られる。
【００１５】
次いで、前記枠部材の外周枠部より小さな窓を有する縁取りマットを備えた額縁内に収納する場合には、前記外周枠部がその縁取りマットによって、その大部分が、あるいは全てが覆い隠された状態となるので、制作過程で前記外周枠部が汚損したとしても、汚損部分が隠れるから飾り栄えのする額入りアルミ缶アートが得られる。
よって本考案はいずれも、安全性、取扱い易さ、制作し易さを向上させたアルミ缶アート制作用具、見栄えのするアルミ缶アート原板および飾り栄えのする額入りアルミ缶アートとして、実用的価値はきわめて大なるものがある。
【考案を実施するための最良の形態】
【００１６】
次に、本考案のアルミ缶アート制作用具、アルミ缶アート原板およびアルミ缶アートに係る実施形態について、図１〜３、４を参照しながら説明する。
本考案の重要な特長は、１）アルミ缶アートを制作するに際して、取り扱い容易かつ安全であり、変化に富んだ多彩な凹凸模様が制作し易い、２）額縁に収納したとき見栄えのすること、３）飾り栄えのする額入りアルミ缶アートが得られる点にある。
【００１７】
（アルミ缶アート制作用具）
本考案のアルミ缶アート制作用具の基本形態は、図１に例示するように、枠部材３の片面の外周枠部３１に、アルミ缶を切り開いて得たアルミ板材２の鑑賞面を向けて、その外周部分２１を固定したものである。枠部材３としては、厚紙、合成紙、プラスチック板など適宜な強度を持つ板材を、中央部分を窓状に切り抜いた形態で利用できる。
【００１８】
このアルミ板材２の固定方法としては、布粘着テープ（通称、ガムテープと呼ばれている）で双方を接着して固定するのが、作業のし易さ、材料の入手のし易さ、接着強度が強いこと、アルミ板材２の鋭利な側縁端部２１ａを被覆して隠すことができるなど多くの利点があり、好ましい。なお、アルミ板材２をステープルなどの綴り金具で固定すれば、仕上がりに波打ちが見られるものの、固定作業が迅速に行なえる利点がある。
【００１９】
このようなアルミ缶アート制作用具によれば、アルミ板材を枠部材に固定しているので一枚の平板として取り扱うことができ、さらにアルミ板材の鋭利な側縁端部２１ａがこの枠部材３の内側に収めることができ、取扱い上の安全性が特に改善される利点がある。
【００２０】
さらに、前記の裏面にクッション平板を固定したアルミ缶アート制作用具の場合、アルミ板材２の片面側から打刻して、別途クッション材を準備する必要なく簡単に凹凸模様のアート制作が可能となる利点が得られる。次に、前記アルミ板材２の表裏が開放されている（図１、図３参照）アルミ缶アート制作用具の場合は、アルミ板材２の表面方向および裏面方向の両面方向から打刻して、変化に富んだ多彩な凹凸模様が制作し易いという利点がある。
【００２１】
また、他の実施形態として、図３に例示するように、これらアルミ缶アート制作用具の裏側に、前記アルミ板材２を挟んで、さらに別途準備した枠部材５の外周枠部を固定した形態も、表裏とも綺麗な材料で囲まれるので外観上、好ましいものとなる。この場合、別の枠部材５に代えて、打刻作業に適当なクッション平板（図示せず）を固定したものは、アルミ板材２に凹凸模様を打刻する場合に、別途、作業用クッション板が必要でない利点がある。また、前記アルミ板材２には予め下絵が施されている場合には、初心者の練習用用具として特に好ましいものとなる。
【００２２】
（アルミ缶アート原板）
本考案のアルミ缶アート原板は、前記したアルミ缶アート制作用具を構成するアルミ板材２の片面側からたがねなどで打刻して、凹凸模様を形成したもの、あるいは、アルミ板材２の鑑賞面および裏面の両面が図１および図３に示すように開放されている制作用具の場合、その両面方向から交互に打刻して、凹凸模様を形成したものである。
【００２３】
そして、そのいずれの場合も、凹凸模様を形成したアルミ板材は周囲を枠部材３の外周枠部３１で囲われているから、その外周枠部３１が額縁の役目を担うのでそのまま壁面に飾ることもできる。また、別途、額縁に収納する場合でもその外周枠部３１が縁取りマットの代わりとなって飾り栄えのする額入りアルミ缶アートが得られる利点がある。
【００２４】
（額入りアルミ缶アート）
本考案の額入りアルミ缶アートの第１形態は、図２に示すように、前記したアルミ缶アート原板が額縁４内にその枠部材３の外周枠部３１を前面側にして配置されて、前方から見たときに前記外周枠部３１によってアルミ板材２の外周部分２１が覆い隠された状態で収納されている額入りアルミ缶アートである。このように、その外周枠部３１が縁取りマットの代わりになるので、縁取りマットが不要なうえ、飾り栄えがするという利点が得られるのである。
【００２５】
次に本考案の額入りアルミ缶アートの第２形態は、前記したアルミ缶アート原板、例えば、図１に示すように、枠部材３の片面の外周枠部３１に、アルミ缶を切り開いて得たアルミ板材２の鑑賞面を向けて（図１では、左奥に向けて）、その外周部分２１を粘着布テープなどで固定した制作用具を用いて、そのアルミ板材２に凹凸模様を施して制作したアルミ缶アート原板を額縁４に納めた形態に関するものである。
【００２６】
この額縁４と枠部材３の関係において、額縁４が、前記枠部材３の外周枠部３１より小さな窓４３を有する縁取りマット４２を備えた額縁枠４１からなるものであって、この額縁４内に枠部材３とアルミ板材２からなる前記アルミ缶アート原板が固定され、かつ前方から見たとき（図１では、左奥から右前方向に見たとき）に前記外周枠部３１の全体がその縁取りマット４２によって覆い隠された状態で収納されている額入りアルミ缶アートである。
【００２７】
この形態では、第１形態と異なり縁取りマットが必要である。しかし、アルミ缶アート原板の制作過程において、前記枠部材３の保護されていない外周枠部３１は外部から傷つけられまたは汚れが付着するなど汚損を受け易い不具合があった。そこで、第１形態では、制作過程で厳重な注意や材料の養生が必要であったが、この第２形態によれば、縁取りマット４２によって損傷した外周枠部３１は覆い隠されるので、制作過程の打刻作業が容易になり、予めの養生も不要となるという利点が得られる。
【００２８】
この場合、前方から見たときに前記外周枠部３１が内周部分３１ａを除いて、その縁取りマットによって覆い隠された状態で収納されていれば、実質的に外周枠部３１の損傷した箇所の大部分は覆い隠されるので、本考案では、前記縁取りマット４２は枠部材３の外周枠部３１より小さな窓４３を有すると限定するものではない。
【図面の簡単な説明】
【００２９】
【図１】本考案の実施形態を説明するための展開斜視図。
【図２】額縁を示す要部斜視図。
【図３】他の実施形態を示す展開斜視図。
【図４】先行技術を例示する要部斜視図。
【符号の説明】
【００３０】
２：アルミ板材、２１：外周部分
３：枠部材、３１：外周枠部、３１ａ：内周部分
４：額縁、４１：額縁枠、４２：縁取りマット、４３：窓
【図１】
0003107425.tif 000003
【図２】
0003107425.tif 000004
【図３】
0003107425.tif 000005
【図４】
0003107425.tif 000006
【手続補正書】
【提出日】平成16年9月17日(2004.9.17)
【手続補正１】
【補正対象書類名】実用新案登録請求の範囲
【補正対象項目名】請求項６
【補正方法】変更
【補正の内容】
【請求項６】
前記アルミ板材には予め下絵が施されている請求項１〜５のいずれかに記載されているアルミ缶アート制作用具。